(57)【要約】【課題】より利便性の高い画像の転送を行う。【解決手段】転送制御装置１は、画像が撮像された位置を示す位置情報と関連付けられた画像を取得する記録媒体制御部１０４と、画像の転送態様に係る複数の転送態様情報の各々と位置情報とが対応付けられた対応付け情報を記録する対応付け情報記録部１０５と、記録媒体制御部１０４により取得された画像と関連付けられた位置情報に基づいて、対応付け情報記録部１０５に記録されている対応付け情報を参照して当該画像の転送態様を特定する転送制御部１０６と、を備える。【選択図】図２
2014064069.tif 000002
【特許請求の範囲】
【請求項１】
画像が撮像された位置を示す位置情報と関連付けられた画像を取得する取得手段と、
画像の転送態様に係る複数の転送態様情報の各々と前記位置情報とが対応付けられた対応付け情報を記録する記録手段と、
前記取得手段により取得された画像と関連付けられた位置情報に基づいて、前記記録手段に記録されている対応付け情報を参照して当該画像の転送態様を特定する転送制御手段と、
を備えることを特徴とする転送制御装置。
【請求項２】
前記転送態様情報は、画像の転送先に係る転送先情報を含み、
前記転送制御手段は、前記記録手段に記録されている対応付け情報を参照して、前記取得手段により取得された画像と関連付けられた前記位置情報に対応する転送先情報を特定し、特定された転送先情報に係る転送先に当該画像を転送するよう制御することを特徴とする請求項１に記載の転送制御装置。
【請求項３】
前記転送制御手段は、更に、前記位置情報に対応する転送先情報が特定できない場合に、所定の転送先に前記取得手段により取得された画像を転送するよう制御することを特徴とする請求項２に記載の転送制御装置。
【請求項４】
前記取得手段は、前記位置情報と関連付けられ、連続して撮像された複数の画像を逐次取得し、
前記転送制御手段は、特定された転送先情報に係る転送先に前記取得手段により逐次取得された複数の画像を逐次転送するよう制御することを特徴とする請求項２又は３に記載の転送制御装置。
【請求項５】
前記転送制御手段は、特定された転送先情報に係る転送先に、所定のタイミングで前記取得手段により取得された画像を転送するよう制御することを特徴とする請求項２〜４の何れか一項に記載の転送制御装置。
【請求項６】
前記転送態様情報は、画像の転送の許否に係る転送許否情報を含み、
前記転送制御手段は、前記取得手段により取得された画像と関連付けられた前記位置情報に対応する転送許否情報を特定し、特定された転送許否情報が転送を許可しない情報である場合に、前記取得手段により取得された画像を転送しないよう制御することを特徴とする請求項１〜３の何れか一項に記載の転送制御装置。
【請求項７】
転送制御装置を用いた画像転送制御方法であって、
画像が撮像された位置を示す位置情報と関連付けられた画像を取得するステップと、
前記画像の転送態様に係る複数の転送態様情報の各々と前記位置情報とが対応付けられた対応付け情報を取得するステップと、
取得された画像と関連付けられた位置情報に基づいて、前記対応付け情報を参照して当該画像の転送態様を特定するステップと、
を有することを特徴とする画像転送制御方法。
【請求項８】
転送制御装置のコンピュータを、
画像が撮像された位置を示す位置情報と関連付けられた画像を取得する手段、
前記画像の転送態様に係る複数の転送態様情報の各々と前記位置情報とが対応付けられた対応付け情報を取得する手段、
取得された画像と関連付けられた位置情報に基づいて、前記対応付け情報を参照して当該画像の転送態様を特定する手段、
として機能させるプログラム。
【発明の詳細な説明】
【技術分野】
【０００１】
本発明は、転送制御装置、画像転送制御方法及びプログラムに関する。
【背景技術】
【０００２】
従来、撮像により得られた画像を予め定められた転送先に転送する転送装置が知られている（例えば、特許文献１）。
【先行技術文献】
【特許文献】
【０００３】
【特許文献１】特開２００６−２４６０２３号公報
【発明の概要】
【発明が解決しようとする課題】
【０００４】
しかしながら、従来の転送装置は、画像を単一の転送先に転送することしかできなかった。このため、従来の転送装置では、当該単一の転送先に転送されることが好ましくない画像を取り扱うことができず、不便であった。
【０００５】
本発明の課題は、より利便性の高い画像の転送を行うことができる転送制御装置、画像転送制御方法及びプログラムを提供することである。
【課題を解決するための手段】
【０００６】
上記課題を解決するため、本発明の転送制御装置は、画像が撮像された位置を示す位置情報と関連付けられた画像を取得する取得手段と、画像の転送態様に係る複数の転送態様情報の各々と前記位置情報とが対応付けられた対応付け情報を記録する記録手段と、前記取得手段により取得された画像と関連付けられた位置情報に基づいて、前記記録手段に記録されている対応付け情報を参照して当該画像の転送態様を特定する転送制御手段と、を備えることを特徴とする。
【０００７】
また、本発明の画像転送制御方法は、転送制御装置を用いた画像転送制御方法であって、画像が撮像された位置を示す位置情報と関連付けられた画像を取得するステップと、前記画像の転送態様に係る複数の転送態様情報の各々と前記位置情報とが対応付けられた対応付け情報を取得するステップと、取得された画像と関連付けられた位置情報に基づいて、前記対応付け情報を参照して当該画像の転送態様を特定するステップと、を有することを特徴とする。
【０００８】
また、本発明のプログラムは、転送制御装置のコンピュータを、画像が撮像された位置を示す位置情報と関連付けられた画像を取得する手段、前記画像の転送態様に係る複数の転送態様情報の各々と前記位置情報とが対応付けられた対応付け情報を取得する手段、取得された画像と関連付けられた位置情報に基づいて、前記対応付け情報を参照して当該画像の転送態様を特定する手段、として機能させる。
【発明の効果】
【０００９】
本発明によれば、より利便性の高い画像の転送を行うことができる。
【図面の簡単な説明】
【００１０】
【図１】本発明を適用した一実施形態の転送制御装置と当該転送制御装置の転送態様に係る外部の機器とが接続された転送システムの概略構成の一例を示す図である。
【図２】転送制御装置の概略構成を示すブロック図である。
【図３】転送制御処理の流れの一例を示すフローチャートである。
【図４】対応付け情報の一例を示す図である。
【図５】画像が撮像された位置と対応付け情報に含まれる位置情報との関係の一例を示す図である。
【発明を実施するための形態】
【００１１】
以下に、本発明について、図面を用いて具体的な態様を説明する。ただし、発明の範囲は、図示例に限定されない。
図１は、本発明を適用した一実施形態の転送制御装置１と当該転送制御装置の転送態様に係る外部の機器（例えば、ＮＡＳ（Network Attached Storage）２、サーバ３、４等）とが接続された転送システム１００の概略構成の一例を示す図である。
【００１２】
転送制御装置１は、画像が撮像された位置を示す位置情報と関連付けられた画像を取得する。また、転送制御装置１は、画像の転送態様に係る複数の転送態様情報の各々と位置情報とが対応付けられた対応付け情報を記録している。そして、転送制御装置１は、取得された画像と関連付けられた位置情報に基づいて、対応付け情報を参照して当該画像の転送態様を特定する。
【００１３】
また、転送制御装置１は、通信ネットワークＮを介してＮＡＳ２、サーバ３、４等の外部の機器と接続されており、特定された画像の転送態様に応じてこれらの外部の機器に対する画像の転送に係る制御を行う。
ＮＡＳ２、サーバ３、４はそれぞれ、転送制御装置１から転送された画像を受信して記録する機能を有するコンピュータである。例えば、ＮＡＳ２は、転送制御装置１のユーザの自宅に設置されたＮＡＳであり、サーバ３は、転送制御装置１から転送された画像を通信ネットワークＮにて公開する機能を有するサーバであり、サーバ４は、転送制御装置１のユーザが勤める会社の非公開データを記録するためのサーバであるが、一例であってこれに限られるものでない。
【００１４】
なお、通信ネットワークＮは、例えば、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００１５】
図２は、転送制御装置１の概略構成の一例を示すブロック図である。
具体的には、転送制御装置１は、例えば、撮像部１０１、位置特定部１０２、関連付け処理部１０３、記録媒体制御部１０４、対応付け情報記録部１０５、転送制御部１０６、通信制御部１０７、表示部１０８、操作入力部１０９、中央制御部１１０等を備える。これらの各構成のうち、関連付け処理部１０３、対応付け情報記録部１０５、転送制御部１０６等は、例えば、図示しないカスタムＬＳＩとして設計されている。
【００１６】
撮像部１０１は、被写体を撮像して、撮像された画像を出力する。転送制御装置１は、撮像部１０１により画像を撮像する撮像装置としても機能する。
具体的には、撮像部１０１は、図示は省略するが、ズームレンズやフォーカスレンズ等の複数のレンズから構成されたレンズ部、レンズ部を通過する光の量を調整する絞りと、ＣＣＤ（Charge Coupled Device）やＣＭＯＳ（Complementary Metal-oxide Semiconductor）等のイメージセンサから構成され、レンズ部の各種レンズを通過した光学像を二次元の画像信号に変換する電子撮像部、タイミング発生器、ドライバ、Ａ／Ｄ変換器、サンプルホールド回路、カラープロセス回路等を備えている。撮像部１０１は、タイミング発生器、ドライバにより電子撮像部を走査駆動して、所定周期毎に、レンズ部の各種レンズを通過した光学像を電子撮像部により二次元の画像信号に変換させ、電子撮像部の撮像領域から１画面分ずつ画像フレームを読み出す。そして、撮像部１０１は、電子撮像部から読み出された画像信号に基づく画像フレームのアナログ値の信号に対してＲＧＢの色成分毎に適宜ゲイン調整した後に、サンプルホールド回路でサンプルホールドしてＡ／Ｄ変換器でデジタルデータに変換し、カラープロセス回路で画素補間処理及びγ補正処理を含むカラープロセス処理を行った後、デジタル値の輝度信号Ｙ及び色差信号Ｃｂ，Ｃｒ（ＹＵＶ色空間の画像データ）を生成することで、画像データを出力する。
【００１７】
位置特定部１０２は、転送制御装置１本体の存する位置を特定する。
具体的には、位置特定部１０２は、図示は省略するが、複数のＧＰＳ（Global Positioning System）衛星からの電波を受信するＧＰＳアンテナや、当該アンテナにより受信された電波を復調し、復調された複数のＧＰＳ衛星からの信号に基づいて転送制御装置１本体の絶対的な２次元の現在位置（緯度、経度）を測位して当該位置に係る位置情報（例えば、緯度、経度の座標情報（ｘ，ｙ））を出力するＧＰＳ受信処理部等を有する。位置特定部１０２は、例えば、所定時間周期で転送制御装置１本体の位置を特定し、特定された位置を示す位置情報を出力する。
【００１８】
なお、ＧＰＳ信号による位置の特定は、位置特定部１０２による位置の特定方法の一例であり、これに限られるものではない。例えば、予め無線の基地局や無線ＬＡＮ（Local Area Network）のアクセスポイント（Access Point）の位置を登録しておき、所定の位置で検出された所定数の基地局やアクセスポイントとの間の通信電波の強度等に基づいて基地局やアクセスポイントまでの距離を演算し、転送制御装置１の存する位置を特定してもよい。
【００１９】
関連付け処理部１０３は、撮像部１０１による画像の撮像時に位置特定部１０２から位置情報を取得して当該画像と関連付ける関連付け処理を行う。
具体的には、関連付け処理部１０３は、例えば、位置特定部１０２から所定時間周期で出力される位置情報のうち、最新の位置情報を保持する。そして、関連付け処理部１０３は、撮像部１０１による画像の撮像時に保持している位置情報と当該画像とを関連付ける。即ち、関連付け処理部１０３により画像と関連付けられた位置情報は、当該画像が撮像された位置を示す。
関連付け処理に際して、関連付け処理部１０３は、例えば、撮像部１０１により取得された画像をＥｘｉｆ（Exchangeable image file format）規格に対応した形式の画像データとする。そして、関連付け処理部１０３は、位置情報をＥｘｉｆ情報として画像データに付加することで、画像と位置情報とを関連付ける。
【００２０】
なお、上記の関連付け処理部１０３の具体的な動作内容は一例であって、これに限られるものでない。例えば、関連付け処理部１０３は、撮像部１０１による画像の撮像時に位置特定部１０２を動作させて転送制御装置１の位置情報を取得するようにしてもよい。また、画像と位置情報との関連付けを示すデータや、当該関連付けに係るデータベース（ＤＢ）に記録するためのデータ等を画像と別個に生成するようにしてもよい。
【００２１】
記録媒体制御部１０４は、記録媒体Ｃが着脱自在に構成され、装着された記録媒体Ｃからのデータの読み出しや記録媒体Ｃに対するデータの書き込みを制御する。
具体的には、記録媒体制御部１０４は、例えば、撮像部１０１から出力されて関連付け処理部１０３により位置情報と関連付けられた画像データ等、転送制御装置１の各部により生成される各種のデータを記録媒体Ｃに記録する。また、記録媒体制御部１０４は、位置情報と関連付けられた画像を記録媒体Ｃから読み出して取得する。ここで、記録媒体制御部１０４は、取得手段として機能する。
【００２２】
対応付け情報記録部１０５は、例えば、フラッシュメモリ等の記録装置であり、画像の転送態様に係る複数の転送態様情報の各々と位置情報とが対応付けられた対応付け情報Ｔを記録する記録手段として機能する（図４参照）。
【００２３】
図４に示す対応付け情報Ｔは、それぞれが異なる位置情報と対応付けられた三の転送先（ＮＡＳ２、サーバ３、４）を示す転送先情報を含んでいる。例えば、ＮＡＳ２を示す転送先情報は、図５の地図上にて示す（ｘ１，ｙ１）〜（ｘ２，ｙ２）の緯度、経度により表される範囲Ａ１の位置情報と対応付けられている。また、サーバ３、４を示す転送先情報はそれぞれ、図５の地図上にて示す（ｘ３，ｙ３）〜（ｘ４，ｙ４）、（ｘ５，ｙ５）〜（ｘ６，ｙ６）の緯度、経度により表される範囲Ａ２、Ａ３の位置情報と対応付けられている。ここで、転送態様情報の各々と対応付けられる位置情報は、転送態様情報により示される転送態様に対応する画像が撮像された位置を示す位置情報に対応する。例えば、範囲Ａ１は、ユーザのプライベートな活動に係る範囲であり、範囲Ａ２は、ユーザの意思により公開される当該ユーザの活動に係る範囲であり、範囲Ａ３は、ユーザが勤務する会社の活動に係りユーザが訪れる範囲であるが、一例であってこれに限られるものでない。
【００２４】
また、対応付け情報記録部１０５は、画像の転送の許否に係る転送許否情報と位置情報とが対応付けられた対応付け情報Ｔを記録してもよい。
例えば、図４に示す対応付け情報Ｔでは、「転送不可」を示す転送態様情報と、範囲Ａ１、Ａ２、Ａ３に含まれない全ての位置に対応する範囲Ａ４の位置情報とが対応付けられている。言い換えれば、対応付け情報Ｔは、ＮＡＳ２、サーバ３、４への転送を許可することを示す転送態様情報と範囲Ａ１、Ａ２、Ａ３の位置情報とを対応付けると共に、転送を許可しないことを示す転送態様情報（転送不可）と範囲Ａ４の位置情報とを対応付けている。
【００２５】
転送制御部１０６は、撮像部１０１により取得された画像と関連付けられた位置情報に基づいて、対応付け情報記録部１０５に記録されている対応付け情報Ｔを参照して当該画像の転送態様を特定する転送制御手段として機能する。
具体的には、転送制御部１０６は、例えば、記録媒体制御部１０４により記録媒体Ｃから読み出されて取得された画像、即ち、関連付け処理部１０３により位置情報と関連付けられた画像を取得する。次に、転送制御部１０６は、取得された画像と関連付けられた位置情報と対応付け情報記録部１０５に記録されている対応付け情報Ｔに含まれる位置情報とを照合して、画像と関連付けられた位置情報に対応する転送態様情報（転送先情報又は転送許否情報）を特定する。
【００２６】
例えば、図５に示す位置Ｐ１にて撮像された画像は、位置Ｐ１を示す位置情報と関連付けられる。また、図５に示す位置Ｐ１は、範囲Ａ１内に位置している。よって、転送制御部１０６は、位置Ｐ１にて撮像された画像と関連付けられた位置情報に対応する転送態様情報として、対応付け情報Ｔにより範囲Ａ１と対応付けられた転送先（ＮＡＳ２）を特定する。
また、図５に示す位置Ｐ２にて撮像された画像は、位置Ｐ２を示す位置情報と関連付けられる。また、図５に示す位置Ｐ２は、範囲Ａ１、Ａ２、Ａ３のいずれにも含まれない位置であることから、範囲Ａ４に対応することとなる。よって、転送制御部１０６は、位置Ｐ２にて撮像された画像と関連付けられた位置情報に対応する転送態様情報として、対応付け情報Ｔにより範囲Ａ４と対応付けられた「転送不可」を示す転送態様情報を特定する。
【００２７】
また、転送制御部１０６は、特定された転送態様情報に応じて、画像の転送に係る制御を行う。
具体的には、画像と関連付けられた位置情報に対応する転送態様情報として転送先情報（例えば、ＮＡＳ２、サーバ３、４のいずれか）が特定された場合に、転送制御部１０６は、特定された転送先情報に係る転送先に当該画像を転送するよう通信制御部１０７を制御する。例えば、画像と関連付けられた位置情報に対応する転送態様情報として、ＮＡＳ２を転送先として示す転送態様情報が特定された場合に、転送制御部１０６は、当該転送態様情報に含まれるＮＡＳ２のＩＰアドレス（ｘｘｘ．ｘｘｘ．ｘｘｘ．ｘｘｘ）に画像を転送するよう通信制御部１０７を制御する。
転送制御部１０６は、所定のプロトコル（例えば、ＦＴＰ（File Transfer Protocol）等）を用いて画像を転送するよう制御する。また、転送制御部１０６は、画像の転送に係り、セキュリティを確保するためのプロトコル（例えば、ＳＳＬ（Secure Sockets Layer）等）を用いるようにしてもよいし、転送される画像に閲覧制限（例えば、パスワードロック等）を施すようにしてもよい。
また、画像と関連付けられた位置情報に対応する転送態様情報として「転送不可」を示す転送態様情報が特定された場合に、転送制御部１０６は、画像を転送しないよう制御する。
【００２８】
また、画像の転送に係る制御において、転送制御部１０６は、特定された転送先情報に係る転送先に、所定のタイミングで画像を転送するよう制御する。
具体的には、転送制御部１０６は、例えば、撮像部１０１により画像が撮像されると、当該画像と関連付けられた位置情報に基づいて、対応付け情報記録部１０５に記録されている対応付け情報Ｔを参照して当該画像の転送態様（転送先情報等）を逐次特定し、転送先が特定された場合に、特定された転送先に画像を逐次転送する。即ち、撮像部１０１により複数の画像が連続して撮像され、当該複数の画像が各々の撮像位置を示す位置情報と関連付けられて記録媒体Ｃに記録された場合、転送制御部１０６は、当該複数の画像の各々について転送態様（転送先情報等）を逐次特定し、特定された転送先情報に係る転送先に当該複数の画像を逐次転送するよう制御する。
【００２９】
また、転送制御部１０６は、操作入力部１０９を介して指示入力されたタイミングに係る情報に基づいて、画像を転送するタイミングを決定し、決定されたタイミングで画像を転送するよう制御するようにしてもよい。
具体的には、転送制御部１０６は、例えば、操作入力部１０９に設けられた画像転送キー（図示略）が操作されたタイミングで画像を転送する。
また、転送制御部１０６は、操作入力部１０９の各種の入力キーを介して転送タイミングに係る設定が行われた場合、当該設定により決定されたタイミングで画像を転送する。転送タイミングに係る設定として、例えば、転送を行う所定の時刻に係る設定や定期的な転送タイミングの周期に係る設定、記録媒体Ｃに記録された画像の数やデータ量と転送タイミングとの関係に係る設定（例えば、所定数以上の画像が記録された場合や、所定量以上のデータ量に対応する画像が記録された場合等に画像を転送する等の設定）、転送開始前の転送先との通信の確立の是非に基づいて転送タイミングを決定するための設定のいずれか又はこれらの複数の組み合わせによる設定等が挙げられる。
また、転送制御部１０６は、画像の転送タイミングに係る指示入力がユーザにより行われない場合に、記録媒体Ｃ等に予め記録された転送タイミングを示す情報に基づいて、画像を転送するタイミングを決定してもよい。
【００３０】
通信制御部１０７は、例えば、通信アンテナや通信回路（図示略）等を備え、所定の通信規格（例えば、３Ｇ：ＩＭＴ−２０００（International Mobile Telecommunication ２０００）規格に準拠した通信規格や無線ＬＡＮ等）により、通信ネットワークＮを介して接続された外部の情報処理装置との間で情報の通信制御を行う。
また、画像の転送に係り、通信制御部１０７は、転送制御部１０６の制御下で、画像と関連付けられた位置情報に対応する転送態様情報として特定された転送先との間の通信を確立して、当該画像を当該転送先に転送する。
【００３１】
表示部１０８は、表示パネル１０８ａ、表示制御部１０８ｂ等を備える。
表示パネル１０８ａは、例えば、液晶表示装置や有機エレクトロルミネッセンス（Electro-Luminescence）ディスプレイ等であり、表示制御部１０８ｂの制御下で、撮像部１０１から出力された画像のライブビュー表示や、転送制御部１０６、通信制御部１０７、中央制御部１１０等の処理内容に応じた表示を行う。
表示制御部１０８ｂは、表示パネル１０８ａの表示領域における表示内容の制御に係る各種処理を行う。表示制御部１０８ｂは、例えば、撮像部１０１から出力された画像のビデオ信号に基づくライブビュー表示を表示パネル１０８ａに行わせる。また、表示制御部１０８ｂは、転送制御部１０６により特定された画像の転送先や転送の許否に係る情報を表示パネル１０８ａに表示させる。また、表示制御部１０８ｂは、通信制御部１０７による転送の状況に係る情報（例えば、転送の成功又は失敗等を示す情報）を表示パネル１０８ａに表示させる。
【００３２】
操作入力部１０９は、転送制御装置１の動作に係る各種の入力を受け付ける。具体的には、操作入力部１０９は、図示は省略するが、撮像部１０１による被写体の撮像を指示入力するためのシャッター動作キーや、画像の転送を指示入力するための画像転送キー、データの選択、送り操作等を行うための上下左右移動キーや各種の入力キー等によって構成される操作部を備え、これらの操作部の操作に応じて所定の操作信号を中央制御部１１０に出力する。
【００３３】
中央制御部１１０は、転送制御装置１の各部を制御するものである。具体的には、中央制御部１１０は、図示は省略するが、ＣＰＵ（Central Processing Unit）、ＲＡＭ（Random Access Memory）、ＲＯＭ（Read Only Memory）を備え、転送制御装置１用の各種処理プログラム（図示略）や操作入力部１０９から出力された操作信号等に従って各種の制御動作を行う。
中央制御部１１０は、例えば、操作入力部１０９を介して指示入力された画像の転送に係る指示入力に対応する操作信号に基づいて、画像の転送タイミングの決定に係る情報を転送制御部１０６に出力する。転送制御部１０６は、当該情報に基づいて、画像の転送タイミングを決定する。
【００３４】
次に、転送制御装置１による画像の転送の制御に係る処理（転送制御処理）について、図３のフローチャートを参照して説明する。
まず、転送制御装置１は、撮像部１０１により被写体を撮像して画像を取得する（ステップＳ１）。また、転送制御装置１は、ステップＳ１の画像の取得に際して、画像と関連付けられる位置情報を取得する（ステップＳ２）。具体的には、例えば、位置特定部１０２が、転送制御装置１本体の位置を特定し、特定された位置を示す位置情報を取得する。
次に、関連付け処理部１０３が、ステップＳ１にて取得された画像とステップＳ２にて取得された位置情報とを関連付ける（ステップＳ３）。具体的には、関連付け処理部１０３は、例えば、撮像部１０１により撮像された画像と、当該画像の撮像時に位置特定部１０２により取得された位置情報とを関連付ける関連付け処理を行う。また、記録媒体制御部１０４は、位置情報と関連付けられた画像を記録媒体Ｃに記録する。
【００３５】
次に、転送制御部１０６が、対応付け情報記録部１０５に記録された、複数の転送態様情報の各々と位置情報とが対応付けられた対応付け情報Ｔ（図４参照）を読み出す（ステップＳ４）。
次に、転送制御部１０６は、ステップＳ３にて画像と関連付けられた位置情報に基づいて、ステップＳ４にて読み出された対応付け情報Ｔを参照して当該画像の転送態様を特定する（ステップＳ５）。具体的には、転送制御部１０６は、例えば、位置Ｐ１にて撮像された画像と関連付けられた位置情報に対応する転送態様情報として、対応付け情報Ｔにより範囲Ａ１と対応付けられたＮＡＳ２を示す転送態様情報を特定する。また、転送制御部１０６は、位置Ｐ２にて撮像された画像と関連付けられた位置情報に対応する転送態様情報として、対応付け情報Ｔにより範囲Ａ４と対応付けられた「転送不可」を示す転送態様情報を特定する（図４、図５参照）。
【００３６】
次に、転送制御部１０６は、ステップＳ５にて特定された転送態様情報が、転送先を示す転送態様情報であるか否か判定する（ステップＳ６）。ここで、転送先を示す転送態様情報であると判定された場合（ステップＳ６；ＹＥＳ）、転送制御部１０６は、特定された転送先情報に係る転送先に当該画像を転送するよう通信制御部１０７を制御する（ステップＳ７）。例えば、ステップＳ５にて、ＮＡＳ２を転送先として示す転送態様情報が特定された場合に、転送制御部１０６は、当該転送態様情報に含まれるＮＡＳ２のＩＰアドレス（ｘｘｘ．ｘｘｘ．ｘｘｘ．ｘｘｘ）に画像を転送するよう通信制御部１０７を制御する（図４参照）。
一方、ステップＳ６にて、転送先を示す転送態様情報でないと判定された場合（ステップＳ６；ＮＯ）、即ち、転送許否情報が転送を許可しない情報である場合、転送制御部１０６は、画像を転送しないよう制御する（ステップＳ８）。
【００３７】
ステップＳ７又はステップＳ８の処理後、中央制御部１１０は、撮像部１０１による画像の撮像が終了されたか否か判定する（ステップＳ９）。ここで、画像の撮像が終了されていないと判定された場合（ステップＳ９；ＮＯ）、即ち、複数枚の画像の撮像が継続されて行われていると判定された場合、転送制御装置１は、ステップＳ１の処理に移行する。
一方、ステップＳ９にて、撮像部１０１による画像の撮像が終了されたと判定された場合（ステップＳ９；ＹＥＳ）、転送制御装置１は、転送制御処理を終了する。
【００３８】
以上、本実施形態の転送制御装置１によれば、画像が撮像された位置を示す位置情報と関連付けられた画像に基づいて、対応付け情報を参照して当該画像の転送態様を特定するので、画像が撮像された位置に応じた転送態様で画像を転送するよう制御することができる。即ち、画像が撮像された位置に応じて画像の転送先や転送の許否等を変更することができ、より利便性の高い画像の転送を行うことができる。
【００３９】
例えば、転送制御装置１は、ユーザのプライベートな活動に係る範囲Ａ１内にて撮像された画像をユーザの自宅に設置されたＮＡＳ２に転送するよう制御する。また、転送制御装置１は、ユーザの意思により公開される当該ユーザの活動に係る範囲Ａ２内にて撮像された画像を、通信ネットワークＮでの公開のためにサーバ３に転送するよう制御する。また、転送制御装置１は、ユーザが勤務する会社の活動に係りユーザが訪れる範囲Ａ３内にて撮像された画像を、当該会社のサーバ４に転送するよう制御する。このように、本実施形態の転送制御装置１によれば、画像が撮像された位置とユーザとの関係に応じて画像の転送先を変更することができ、より利便性の高い画像の転送を行うことができる。
【００４０】
また、逐次取得された複数の画像を逐次転送するよう制御するので、撮像された画像を転送により転送先の外部の機器に記録させることができ、画像の転送・記録に係る利便性をより高めることができる。
例えば、転送制御装置１の記録装置（例えば、記録媒体Ｃ）に記録しきれない複数の画像が連続して撮像された場合であっても、転送制御装置１は、逐次取得された複数の画像を逐次転送するので、記録媒体Ｃに記録しきれない画像を転送先の外部に記録させることができることから、記録媒体Ｃの記録容量に制限されることなく画像の撮像を行うことができる。
【００４１】
また、特定された転送先情報に係る転送先に、所定のタイミングで画像を転送するよう制御するに際して、ユーザが所定のタイミングに係る指示入力を行うことで、ユーザが意図したタイミングで画像を転送することができ、より利便性の高い画像の転送を行うことができる。
【００４２】
また、特定された転送許否情報が転送を許可しない情報である場合に、画像を転送しないよう制御するので、画像の転送を意図しない撮像位置で撮像された画像を転送しないようにすることができ、画像の転送に係る利便性をより高めることができる。
【００４３】
なお、本発明は、上記実施形態に限定されることなく、本発明の趣旨を逸脱しない範囲において、種々の改良並びに設計の変更を行っても良い。
【００４４】
例えば、転送制御部１０６は、画像と関連付けられた位置情報に対応する転送先情報が特定できない場合に、所定の転送先に当該画像を転送するよう制御するようにしてもよい。これにより、画像と関連付けられた位置情報に対応する転送先情報が特定できない場合であっても画像を転送することができ、記録しきれない画像を転送先の外部に記録させることができることから、転送制御装置１が有する記録手段（例えば、記録媒体Ｃ等）の記録容量に制限されることなく画像の撮像を行うことができる。
この場合、転送制御部１０６は、例えば、対応付け情報を参照しても画像と関連付けられた位置情報に対応する転送先情報が特定できない場合に当該画像を転送する転送先を示す予備的な転送先情報を記録、保持している。そして、転送制御部１０６は、画像と関連付けられた位置情報に対応する転送先情報が特定できない場合に、当該予備的な転送先情報により示される転送先に当該画像を転送するよう通信制御部１０７を制御する。
【００４５】
具体的には、転送制御部１０６は、例えば、対応付け情報記録部１０５に記録された対応付け情報Ｔにて転送態様が定められていない位置にて撮像された画像の転送に係る制御や、対応付け情報Ｔが破損する等、何らかの理由により読み出し不可能な状態になった場合における制御等に際して、予備的な転送先情報を用いた転送の制御を行う。ここで、予備的な転送先情報により示される転送先に転送される画像には、非公開とされるべき画像や、ユーザの私的な活動に係る画像等も含まれうる。よって、予備的な転送先情報により示される転送先は、ユーザの管理下にある転送先であって、画像が自動的に公開されることのない転送先であることが望ましい。
【００４６】
また、上記実施形態にあっては、画像の位置情報や対応付け情報Ｔにおける位置情報を緯度、経度の座標情報（ｘ，ｙ）で表される情報としているが、一例であってこれに限られるものでなく、画像が撮像された位置と転送態様との照合が可能な位置情報であれば、その形式は問われない。例えば、所定の位置範囲と関連付けられたランドマークを示す情報を用いて、画像が撮像された位置の位置情報や転送態様と対応付けられる位置情報をランドマーク単位で管理するようにしてもよい。また、上記の実施形態にあっては、対応付け情報Ｔにより転送態様情報と対応付けられた位置情報は全て範囲を示す情報であるが、特定の位置を示す位置情報であってもよい。
【００４７】
また、上記実施形態にあっては、撮像部１０１により撮像され、位置特定部１０２により特定された位置情報と関連付けられた画像を記録媒体Ｃに記録し、記録媒体制御部１０４が記録媒体Ｃから画像を読み出して取得する構成であるが、一例であってこれに限られるものでない。例えば、予め位置情報と関連付けられた画像が記録された記録媒体Ｃを用いて、当該記録媒体Ｃから画像を取得するようにしてもよいし、通信制御部１０７等を介して接続された外部の記録装置に記録された画像を取得するようにしてもよい。また、関連付け処理部１０３から転送制御部１０６に画像を出力するようにしてもよい。この場合、関連付け処理部１０３が取得手段として機能する。
また、上記実施形態にあっては、Ｅｘｉｆ形式の静止画像の転送に係る制御を行っているが、一例であってこれに限られるものでない。例えば、位置情報と関連付けられた動画像の転送に係る制御を行ってもよい。
【００４８】
また、上記実施形態にあっては、中央制御部１１０のＣＰＵの制御下にて、記録媒体制御部１０４、対応付け情報記録部１０５、転送制御部１０６等が駆動することにより実現される構成としたが、これに限られるものではなく、ＣＰＵによって所定のプログラム等が実行されることにより実現される構成としてもよい。
即ち、プログラムを記録するプログラムメモリ（図示略）に、画像取得ルーチン、対応付け情報取得ルーチン、転送制御ルーチン等を含むプログラムを記録しておく。そして、画像取得ルーチンによりＣＰＵが、画像が撮像された位置を示す位置情報と関連付けられた画像を取得するようにしてもよい。また、対応付け情報取得ルーチンによりＣＰＵが、画像の転送態様に係る複数の転送態様情報の各々と位置情報とが対応付けられた対応付け情報を取得するようにしてもよい。また、転送制御ルーチンによりＣＰＵが、取得された画像と関連付けられた位置情報に基づいて、対応付け情報を参照して当該画像の転送態様を特定するようにしてもよい。
上記実施形態の他の機能についても、上記の各ルーチンと同様に、ＣＰＵによって所定のプログラム等が実行されることにより実現される構成としてもよい。
【００４９】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００５０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
画像が撮像された位置を示す位置情報と関連付けられた画像を取得する取得手段と、
画像の転送態様に係る複数の転送態様情報の各々と前記位置情報とが対応付けられた対応付け情報を記録する記録手段と、
前記取得手段により取得された画像と関連付けられた位置情報に基づいて、前記記録手段に記録されている対応付け情報を参照して当該画像の転送態様を特定する転送制御手段と、
を備えることを特徴とする転送制御装置。
＜請求項２＞
前記転送態様情報は、画像の転送先に係る転送先情報を含み、
前記転送制御手段は、前記記録手段に記録されている対応付け情報を参照して、前記取得手段により取得された画像と関連付けられた前記位置情報に対応する転送先情報を特定し、特定された転送先情報に係る転送先に当該画像を転送するよう制御することを特徴とする請求項１に記載の転送制御装置。
＜請求項３＞
前記転送制御手段は、更に、前記位置情報に対応する転送先情報が特定できない場合に、所定の転送先に前記取得手段により取得された画像を転送するよう制御することを特徴とする請求項２に記載の転送制御装置。
＜請求項４＞
前記取得手段は、前記位置情報と関連付けられ、連続して撮像された複数の画像を逐次取得し、
前記転送制御手段は、特定された転送先情報に係る転送先に前記取得手段により逐次取得された複数の画像を逐次転送するよう制御することを特徴とする請求項２又は３に記載の転送制御装置。
＜請求項５＞
前記転送制御手段は、特定された転送先情報に係る転送先に、所定のタイミングで前記取得手段により取得された画像を転送するよう制御することを特徴とする請求項２〜４の何れか一項に記載の転送制御装置。
＜請求項６＞
前記転送態様情報は、画像の転送の許否に係る転送許否情報を含み、
前記転送制御手段は、前記取得手段により取得された画像と関連付けられた前記位置情報に対応する転送許否情報を特定し、特定された転送許否情報が転送を許可しない情報である場合に、前記取得手段により取得された画像を転送しないよう制御することを特徴とする請求項１〜３の何れか一項に記載の転送制御装置。
＜請求項７＞
転送制御装置を用いた画像転送制御方法であって、
画像が撮像された位置を示す位置情報と関連付けられた画像を取得するステップと、
前記画像の転送態様に係る複数の転送態様情報の各々と前記位置情報とが対応付けられた対応付け情報を取得するステップと、
取得された画像と関連付けられた位置情報に基づいて、前記対応付け情報を参照して当該画像の転送態様を特定するステップと、
を有することを特徴とする画像転送制御方法。
＜請求項８＞
転送制御装置のコンピュータを、
画像が撮像された位置を示す位置情報と関連付けられた画像を取得する手段、
前記画像の転送態様に係る複数の転送態様情報の各々と前記位置情報とが対応付けられた対応付け情報を取得する手段、
取得された画像と関連付けられた位置情報に基づいて、前記対応付け情報を参照して当該画像の転送態様を特定する手段、
として機能させるプログラム。
【符号の説明】
【００５１】
１        転送制御装置
２        ＮＡＳ
３、４    サーバ
１０１    撮像部
１０２    位置特定部
１０３    関連付け処理部
１０４    記録媒体制御部
１０５    対応付け情報記録部
１０６    転送制御部
１０７    通信制御部
１０８    表示部
１０９    操作入力部
１１０    中央制御部
Ｔ        対応付け情報
【図１】
2014064069.tif 000003
【図２】
2014064069.tif 000004
【図３】
2014064069.tif 000005
【図４】
2014064069.tif 000006
【図５】
2014064069.tif 000007